(57)【要約】【課題】  店舗端末など書き込まれた情報をユーザ端末で閲覧するためのソフトウェアを入手する際のユーザ操作の煩雑さを解消する。【解決手段】  携帯電話機１０はＩＣカード１５を格納する。店舗端末２０はＩＣカード１５のＩＤを読み取り、ＩＣカード１５へユーザの利用履歴を書き込み、読み取ったＩＤを会員管理サーバ３０に送信する。会員管理サーバ３０はＩＤをキーに会員データベース３５を検索し携帯電話機１０のメールアドレスを抽出する。店舗端末２０は会員管理サーバ３０から検索成功を受信すると、利用履歴閲覧用ソフトウェアのダウンロードＵＲＬを会員管理サーバ３０に送信する。会員管理サーバ３０はこのＵＲＬを記載した電子メールを抽出されたメールアドレスに送信する。携帯電話機１０は電子メールに含まれるＵＲＬが指定されるとソフトウェアをダウンロードし利用履歴が閲覧可能となる。【選択図】      図１
2006195662.tif 000002
【特許請求の範囲】
【請求項１】
ＩＣカードを有するユーザ端末と、業者端末と、管理サーバとを備え、
前記業者端末は、前記ＩＣカードのＩＤを読み取る手段と、前記ＩＣカードへ情報を書き込む手段と、読み取った前記ＩＤを前記管理サーバに送信する手段とを有し、
前記管理サーバは、前記ユーザ端末のメールアドレスと前記ユーザ端末が有するＩＣカードのＩＤとを対応付けたデータベースが格納された記憶装置と、前記記憶装置を検索して受信した前記ＩＤに対応するメールアドレスを抽出する手段と、前記情報を閲覧するソフトウェアをダウンロードするためのＵＲＬを示すハイパーリンク情報を含む電子メールを抽出された前記メールアドレスに送信する手段とを有し、
前記ユーザ端末は、前記電子メールに含まれる前記ハイパーリンク情報が指定されたことに応じて当該ハイパーリンク情報が示す前記ＵＲＬにアクセスして前記ソフトウェアをダウンロードする手段を有することを特徴とする情報閲覧システム。
【請求項２】
前記管理サーバは、前記ＩＤに対応するメールアドレスが抽出されると検索成功通知を前記業者端末に送信する手段を有し、
前記業者端末は、前記検索成功通知を受信すると前記ＵＲＬを前記管理サーバに送信する手段を有し、
前記管理サーバは、前記業者端末から送信された前記ＵＲＬを前記電子メールに記載することを特徴とする請求項１記載の情報閲覧システム。
【請求項３】
前記ユーザ端末が携帯電話機であり、前記ＩＣカードが前記携帯電話機に組み込まれた非接触ＩＣカードであることを特徴とする請求項１または２記載の情報閲覧システム。
【請求項４】
前記ユーザ端末がＩＣカードリーダライタを有するパーソナルコンピュータであることを特徴とする請求項１または２記載の情報閲覧システム。
【請求項５】
前記業者端末が店舗端末であり、前記情報が前記ＩＣカードを使用した購入履歴を含むことを特徴とする請求項１、２、３または４記載の情報閲覧システム。
【請求項６】
ユーザ端末のメールアドレスと前記ユーザ端末が有するＩＣカードのＩＤとを対応付けたデータベースが格納された記憶装置と、
業者端末から受信したＩＤに対応するメールアドレスを前記データベースから抽出する手段と、
前記業者端末が前記ＩＣカードに書き込んだ情報を閲覧するソフトウェアをダウンロードするためのＵＲＬを示すハイパーリンク情報を含む電子メールを抽出された前記メールアドレスに送信する手段とを有することを特徴とする管理サーバ。
【請求項７】
メールアドレスが抽出されると検索成功通知を前記業者端末に送信する手段を有し、検索成功通知に応じて前記業者端末から送信される前記ＵＲＬを前記電子メールに記載することを特徴とする請求項６記載の管理サーバ。
【請求項８】
ＩＣカードのＩＤを読み取る手段と、
前記ＩＣカードへ情報を書き込む手段と、
前記ＩＣカードを有するユーザ端末のメールアドレス検索要求を前記ＩＤを添付して管理サーバに送信する手段と、
前記管理サーバから検索成功通知を受信すると、前記情報を閲覧するソフトウェアをダウンロードするためのＵＲＬを示すハイパーリンク情報を含む電子メールを前記ユーザ端末に送信するよう前記ＵＲＬを添付して前記管理サーバに要求する手段とを有することを特徴とする業者端末。
【請求項９】
ＩＣカードを有するユーザ端末と、業者端末と、管理サーバとを使用する情報閲覧方法であって、
前記業者端末が、前記ＩＣカードのＩＤを読み取るステップと、
前記業者端末が、前記ＩＣカードへ情報を書き込むステップと、
前記業者端末が、読み取った前記ＩＤを前記管理サーバに送信するステップと、
前記管理サーバが、前記ユーザ端末のメールアドレスと前記ユーザ端末が有するＩＣカードのＩＤとを対応付けたデータベースを格納した記憶装置を検索して受信した前記ＩＤに対応するメールアドレスを抽出するステップと、
前記管理サーバが、前記情報を閲覧するソフトウェアをダウンロードするためのＵＲＬを示すハイパーリンク情報を含む電子メールを抽出された前記メールアドレスに送信するステップと、
前記ユーザ端末が前記電子メールに含まれる前記ハイパーリンク情報が指定されたことに応じて当該ハイパーリンク情報が示す前記ＵＲＬにアクセスして前記ソフトウェアをダウンロードするステップとを有することを特徴とする情報閲覧方法。
【請求項１０】
業者端末から受信したＩＤに対応するメールアドレスを、ユーザ端末のメールアドレスと前記ユーザ端末が有するＩＣカードのＩＤとを対応付けたデータベースから抽出する処理と、
前記ＩＣカードに前記業者端末から書き込まれた情報を閲覧するソフトウェアをダウンロードするためのＵＲＬを示すハイパーリンク情報を含む電子メールを抽出された前記メールアドレスに送信する処理とをコンピュータに実行させるためのプログラム。
【請求項１１】
ＩＣカードのＩＤを読み取る処理と、
前記ＩＣカードへ情報を書き込む処理と、
前記ＩＣカードを有するユーザ端末のメールアドレス検索要求を読み取った前記ＩＤを添付して管理サーバに送信する処理と、
前記管理サーバから検索成功通知を受信すると前記情報を閲覧するソフトウェアをダウンロードするためのＵＲＬを示すハイパーリンク情報を含む電子メールを前記ユーザ端末に送信するよう前記ＵＲＬを添付して前記管理サーバに要求する処理とをコンピュータに実行させるためのプログラム。
【発明の詳細な説明】
【技術分野】
【０００１】
本発明は情報閲覧システム、情報閲覧方法およびプログラムに関し、特に、ユーザ端末が店舗端末などの業者端末から書き込まれた情報を閲覧用ソフトウェアを入手して閲覧する情報閲覧システム、情報閲覧方法およびプログラムに関する。
【背景技術】
【０００２】
従来、店舗などで端末からユーザ端末に情報を書き込み、書き込まれた情報をユーザ端末で閲覧することが行われている。書き込み先としてはユーザ端末が搭載するＩＣカードが用いられる。書き込まれた情報を閲覧するために、閲覧用ソフトウェアを入手してユーザ端末にインストールする必要がある。
【０００３】
このような情報閲覧システムの一例が特許文献１に記載されている。特許文献１によれば、ＩＣカード機能を有する携帯電話機のユーザは、ＩＣカード機能の使用履歴を管理するためのソフトウェアを取得するためにデータ通信を行う。携帯電話機はユーザの操作により、携帯電話基地局と無線通信を行い、ネットワークを介してサーバにアクセスし、ＩＣカード機能の使用履歴を管理するためのソフトウェアのダウンロードを要求する。
【０００４】
この要求を行うために、ユーザはソフトウェア入手先のＵＲＬ（Uniform Resource Locator）を手動で入力することになる。
【０００５】
【特許文献１】特開２００３−８５４６６号公報（第４−７頁、図１）
【発明の開示】
【発明が解決しようとする課題】
【０００６】
上述した従来の情報閲覧システムにおいては、情報閲覧用ソフトウェアを入手するために入手先のＵＲＬを手動で入力する必要があるため、ユーザの操作が煩雑であるという問題点があった。
【０００７】
本発明の目的は、上述した従来の課題である、情報閲覧用ソフトウェアを入手する際のユーザ操作の煩雑さを解決する情報閲覧システム、情報閲覧方法およびプログラムを提供することにある。
【課題を解決するための手段】
【０００８】
本発明の情報閲覧システムは、ＩＣカードを有するユーザ端末と、業者端末と、管理サーバとを備え、
前記業者端末は、前記ＩＣカードのＩＤを読み取る手段と、前記ＩＣカードへ情報を書き込む手段と、読み取った前記ＩＤを前記管理サーバに送信する手段とを有し、
前記管理サーバは、前記ユーザ端末のメールアドレスと前記ユーザ端末が有するＩＣカードのＩＤとを対応付けたデータベースが格納された記憶装置と、前記記憶装置を検索して受信した前記ＩＤに対応するメールアドレスを抽出する手段と、前記情報を閲覧するソフトウェアをダウンロードするためのＵＲＬを示すハイパーリンク情報を含む電子メールを抽出された前記メールアドレスに送信する手段とを有し、
前記ユーザ端末は、前記電子メールに含まれる前記ハイパーリンク情報が指定されたことに応じて当該ハイパーリンク情報が示す前記ＵＲＬにアクセスして前記ソフトウェアをダウンロードする手段を有することを特徴とする。
【０００９】
本発明の情報閲覧システムは、前記管理サーバは、前記ＩＤに対応するメールアドレスが抽出されると検索成功通知を前記業者端末に送信する手段を有し、
前記業者端末は、前記検索成功通知を受信すると前記ＵＲＬを前記管理サーバに送信する手段を有し、
前記管理サーバは、前記業者端末から送信された前記ＵＲＬを前記電子メールに記載することを特徴としてもよい。
【００１０】
本発明の情報閲覧システムは、前記ユーザ端末が携帯電話機であり、前記ＩＣカードが前記携帯電話機に組み込まれた非接触ＩＣカードであることを特徴としてもよい。
【００１１】
本発明の情報閲覧システムは、前記ユーザ端末がＩＣカードリーダライタを有するパーソナルコンピュータであることを特徴としてもよい。
【００１２】
本発明の情報閲覧システムは、前記業者端末が店舗端末であり、前記情報が前記ＩＣカードを使用した購入履歴を含むことを特徴としてもよい。
【００１３】
本発明の管理サーバは、ユーザ端末のメールアドレスと前記ユーザ端末が有するＩＣカードのＩＤとを対応付けたデータベースが格納された記憶装置と、
業者端末から受信したＩＤに対応するメールアドレスを前記データベースから抽出する手段と、
前記業者端末が前記ＩＣカードに書き込んだ情報を閲覧するソフトウェアをダウンロードするためのＵＲＬを示すハイパーリンク情報を含む電子メールを抽出された前記メールアドレスに送信する手段とを有することを特徴とする。
【００１４】
本発明の管理サーバは、メールアドレスが抽出されると検索成功通知を前記業者端末に送信する手段を有し、検索成功通知に応じて前記業者端末から送信される前記ＵＲＬを前記電子メールに記載することを特徴としてもよい。
【００１５】
本発明の業者端末は、ＩＣカードのＩＤを読み取る手段と、
前記ＩＣカードへ情報を書き込む手段と、
前記ＩＣカードを有するユーザ端末のメールアドレス検索要求を前記ＩＤを添付して管理サーバに送信する手段と、
前記管理サーバから検索成功通知を受信すると、前記情報を閲覧するソフトウェアをダウンロードするためのＵＲＬを示すハイパーリンク情報を含む電子メールを前記ユーザ端末に送信するよう前記ＵＲＬを添付して前記管理サーバに要求する手段とを有することを特徴とする。
【００１６】
本発明の情報閲覧方法は、ＩＣカードを有するユーザ端末と、業者端末と、管理サーバとを使用する情報閲覧方法であって、
前記業者端末が、前記ＩＣカードのＩＤを読み取るステップと、
前記業者端末が、前記ＩＣカードへ情報を書き込むステップと、
前記業者端末が、読み取った前記ＩＤを前記管理サーバに送信するステップと、
前記管理サーバが、前記ユーザ端末のメールアドレスと前記ユーザ端末が有するＩＣカードのＩＤとを対応付けたデータベースを格納した記憶装置を検索して受信した前記ＩＤに対応するメールアドレスを抽出するステップと、
前記管理サーバが、前記情報を閲覧するソフトウェアをダウンロードするためのＵＲＬを示すハイパーリンク情報を含む電子メールを抽出された前記メールアドレスに送信するステップと、
前記ユーザ端末が前記電子メールに含まれる前記ハイパーリンク情報が指定されたことに応じて当該ハイパーリンク情報が示す前記ＵＲＬにアクセスして前記ソフトウェアをダウンロードするステップとを有することを特徴とする。
【００１７】
本発明のプログラムは、業者端末から受信したＩＤに対応するメールアドレスを、ユーザ端末のメールアドレスと前記ユーザ端末が有するＩＣカードのＩＤとを対応付けたデータベースから抽出する処理と、
前記ＩＣカードに前記業者端末から書き込まれた情報を閲覧するソフトウェアをダウンロードするためのＵＲＬを示すハイパーリンク情報を含む電子メールを抽出された前記メールアドレスに送信する処理とをコンピュータに実行させる。
【００１８】
本発明のプログラムは、ＩＣカードのＩＤを読み取る処理と、
前記ＩＣカードへ情報を書き込む処理と、
前記ＩＣカードを有するユーザ端末のメールアドレス検索要求を読み取った前記ＩＤを添付して管理サーバに送信する処理と、
前記管理サーバから検索成功通知を受信すると前記情報を閲覧するソフトウェアをダウンロードするためのＵＲＬを示すハイパーリンク情報を含む電子メールを前記ユーザ端末に送信するよう前記ＵＲＬを添付して前記管理サーバに要求する処理とをコンピュータに実行させる。
【発明の効果】
【００１９】
本発明は閲覧用ソフトウェアをダウンロードするためのＵＲＬを記載したメールをユーザ端末に送信するため、ユーザがダウンロードする操作が容易となる効果がある。
【発明を実施するための最良の形態】
【００２０】
本発明を実施するための最良の形態について図面を参照して詳細に説明する。図１は、本発明の第１の実施の形態の構成を示すブロック図である。
【００２１】
第１の実施の形態は、携帯電話機１０と店舗端末２０と会員管理サーバ３０を含む。携帯電話機１０と店舗端末２０はネットワーク５０で接続されている。ネットワーク５０は携帯電話網、インターネット、あるいはこれらを組み合わせたものである。店舗端末２０と会員管理サーバ３０はネットワーク６０で接続されている。ネットワーク６０はインターネットである。
【００２２】
携帯電話機１０は、店舗などで買い物などをする一般のユーザが使用する端末である。携帯電話機１０は、表示部１１、入力部１２、メールクライアント部１３、ＩＣカード１５、およびこれら各部を制御する制御部（図示せず）を含む。表示部１１は、着信メールや電話発信番号などを表示する。入力部１２は、電話番号や発信メールを入力するためのボタン類である。メールクライアント部１３は受信メール、発信メールの管理を行う。ＩＣカード１５は、一般の非接触ＩＣカード機能を有するものであり、ＩＣチップとアンテナを含み、さらに記憶領域をＩＣチップの内部または外部に有する。ＩＣカード１５は、固有のＩＤ（identification）番号を記憶し、また、特定のコマンドにより記憶領域の内容へのアクセスを許可する。ＩＣカード１５は、携帯電話機１０内部に格納されており、必ずしもカード状に構成されてなくてもよい。さらに、ＩＣカード１５は、携帯電話機１０内部に格納されるものではなく外部から着脱可能な構造であってもよく、また、非接触型でなく接触読み書き型であってもよい。
【００２３】
店舗端末２０は、店舗で使用する端末であり、ＰＯＳ（point of sale）レジスタであってよい。店舗端末２０は、図示しないが、データ入力するための入力部、データ表示するためのディスプレイ、データを一時記憶するための記憶部、これら各部を制御する制御部を含む。店舗端末２０は、また、ＩＣカード１５にデータを読み書きするためのＩＣカードリーダライタ２５を有する。ＩＣカードリーダライタ２５はＩＣカード１５のＩＤ番号の読み込み、および記憶領域の読み込みと書き込みを行う。
【００２４】
会員管理サーバ３０は、カードセンタが使用する、ワークステーション・サーバ等の情報処理装置である。カードセンタは、会員に対してＩＣカード１５を利用したサービスを運営する事業者である。会員管理サーバ３０は、検索部３１、電子メールサーバ部３３、記憶装置３４、およびこれら各部を制御する制御部（図示せず）を含む。検索部３１は、記憶装置３４内を検索する機能を有する。電子メールサーバ部３３は、電子メールサーバの機能を有する。電子メールサーバ部３３は、会員管理サーバ３０の外部にある独立したサーバであってもよい。記憶装置３４は会員データベース３５を格納する。会員データベース３５は、ＩＣカード１５のＩＤ番号と該当のＩＣカード１５を搭載した携帯電話機１０のメールアドレスとを関連付けるデータベースである。
【００２５】
次に、動作を説明する。図２は本発明の第１の実施の形態の動作を示すフローチャートである。例として店舗でのＩＣカード１５の利用履歴を会員として登録しているユーザに提供するサービスを取り上げる。店舗もカードセンタが運営するサービスに加盟しているものとする。
【００２６】
ユーザは会員登録する際にユーザ情報として、少なくとも、ＩＣカード１５のＩＤ番号と携帯電話機１０のメールアドレスとをカードセンタに送信する。会員登録しているユーザが店舗で携帯電話機１０のＩＣカード１５を使用して買い物をしたとき、店舗端末２０のＩＣカードリーダライタ２５はＩＣカード１５のＩＤ番号を読み取る（ステップＡ１）。
【００２７】
次に、ＩＣカードリーダライタ２５はＩＣカード１５の特定の記憶領域に利用履歴を書き込む（ステップＡ２）。利用履歴とは、たとえば、買い物をした品名、個数、金額、日時、店名である。
【００２８】
店舗端末２０は、読み取ったＩＤ番号に対応するメールアドレスの検索を、カードセンタの会員管理サーバ３０に要求する（ステップＡ３）。
【００２９】
会員管理サーバ３０は、店舗端末２０から受信したＩＤ番号をキーに、検索部３１で会員データベース３５を検索してＩＤ番号に対応するメールアドレスを抽出する（ステップＡ４）。
【００３０】
会員管理サーバ３０は、検索が成功した場合は、店舗端末２０へ検索成功を送信する（ステップＡ５）。
【００３１】
店舗端末２０は、検索成功を受信すると、ステップＡ２で書き込まれた利用履歴を携帯電話機１０にて閲覧するためのソフトウェアをダウンロードするためのＵＲＬを示すハイパーリンク情報を会員管理サーバ３０に送信する（ステップＡ６）。このとき、店舗端末２０は、このダウンロードＵＲＬを記載した電子メールを前記ユーザ端末に送信するよう会員管理サーバ３０に要求する。この要求は、サービス加盟時などにあらかじめ設定されていれば、ここでは省略できる。また、ダウンロードＵＲＬをあらかじめ会員管理サーバ３０のデータベースに保存する方法もあるが、店舗端末２０からその都度送信することによりＵＲＬの変更等に迅速な対応ができる。
【００３２】
会員管理サーバ３０は、ダウンロードＵＲＬを受信すると、ステップＡ４で検索したメールアドレスを検索部３１が電子メールサーバ部３３へ渡す（ステップＡ７）。電子メールサーバ部３３は、このメールアドレスへダウンロードＵＲＬを記載したメールを送信する（ステップＡ８）。
【００３３】
携帯電話機１０では、メールクライアント部１３が会員管理サーバ３０からのメールを受信し（ステップＡ９）、表示部１１に表示する。図３は、表示された受信メールイメージの一例を示す図である。ダウンロードＵＲＬ「https://xxx」を示すハイパーリンク情報が記載されている。
【００３４】
ユーザは、携帯電話機１０の入力部１２にある十字キーを使用してこのダウンロードＵＲＬを選択し、実行キーを押下する。携帯電話機１０は、ハイパーリンク情報が指定されたことに応じてこのＵＲＬにアクセスし、ソフトウェアをダウンロードする（ステップＡ１０）。ダウンロードしたソフトウェアは、自動的または入力部１２からの指示により、ＩＣカード１５にインストールされる（ステップＡ１１）。ユーザは、インストールされたアプリケーションソフトウェアを使用して、携帯電話機１０の表示部１１に表示される利用履歴を閲覧することができる（ステップＡ１２）。
【００３５】
ステップＡ４で会員検索に失敗した場合は、会員管理サーバ３０は、店舗端末２０へ検索失敗を送信して（ステップＡ１３）、処理を終了する。
【００３６】
図４はステップＡ１２で携帯電話機１０の表示部１１に表示されるアプリケーションイメージの一例を示す図である。メニュー画面に「お知らせ」、「利用履歴画面」、「クーポン」が表示されている。このように、本発明は、利用履歴の閲覧だけでなく、他の情報閲覧にも利用できる。「お知らせ」とは、たとえば広告やバーゲン情報である。「利用履歴」には、ポイントカードのポイント発生高や残高なども含まれる。「クーポン」とは店舗で利用できる割引券などである。従来、紙媒体で配布されていた情報を携帯電話機１０で閲覧することが容易になる。
【００３７】
次に、本発明の第２の実施の形態について説明する。図５は本発明の第２の実施の形態の構成を示すブロック図である。第２の実施の形態は、第１の実施の形態の携帯電話機１０の代わりにパーソナルコンピュータ４０を含む。パーソナルコンピュータ４０は、インターネットなどのネットワーク７０で会員管理サーバ３０と接続される。パーソナルコンピュータ４０は、表示部４１、入力部４２、メールクライアント部４３、およびこれら各部を制御する制御部（図示せず）を含む。パーソナルコンピュータ４０は、さらに、ＩＣカード４５、ＩＣカードリーダライタ４６を有する。パーソナルコンピュータ４０は、内蔵するＩＣカードリーダライタ４６で、着脱可能なＩＣカード４５を読み書きする構造であってもよい。また、パーソナルコンピュータ４０は、ケーブル等で接続したＩＣカードリーダライタ４６で、装着不可能なＩＣカード４５を読み書きする構造であってもよい。
【００３８】
第２の実施の形態の動作は、第１の実施の形態の動作と同様である。図２のステップＡ１１では、パーソナルコンピュータ４０は、パーソナルコンピュータ４０内の記憶部にソフトウェアをインストールする。ステップＡ１２では、ユーザは、ＩＣカード４５に書き込まれている情報をＩＣカードリーダライタ４６を使用してパーソナルコンピュータ４０に読み込んで、インストール済みのソフトウェアで閲覧する。
【００３９】
第２の実施の形態では、ユーザはＩＣカード４５を持ち歩いて店舗で情報を書き込み、自宅に持ち帰ってパーソナルコンピュータ４０で情報を閲覧することができる。
【００４０】
本発明の第１および第２の実施の形態の店舗端末２０または会員管理サーバ３０の動作はコンピュータ・プログラム処理により行わせることが可能である。すなわち、記録媒体に記録したプログラムを店舗端末２０または会員管理サーバ３０に読み込ませるか、あるいは、ネットワークからプログラムを店舗端末２０または会員管理サーバ３０に読み込ませて、第１および第２の実施の形態で説明した動作を実行させる。
【００４１】
上述した第１および第２の実施の形態では、店舗でＩＣカードを利用する例を説明したが、本発明は店舗に限定されるものではなく、他の業者にも適用できる。たとえば、医療事業者であれば、患者のＩＣカードに診療履歴を書き込み、さらに、医療に関する情報を加えて患者に提供することができる。
【図面の簡単な説明】
【００４２】
【図１】本発明の第１の実施の形態の構成を示すブロック図である。
【図２】本発明の第１の実施の形態の動作を示すフローチャートである。
【図３】受信メールイメージの一例を示す図である。
【図４】携帯電話機表示されるアプリケーションイメージの一例を示す図である。
【図５】本発明の第２の実施の形態の構成を示すブロック図である。
【符号の説明】
【００４３】
１０    携帯電話機
１１    表示部
１２    入力部
１３    メールクライアント部
１５    ＩＣカード
２０    店舗端末
２５    ＩＣカードリーダライタ
３０    会員管理サーバ
３１    検索部
３３    電子メールサーバ部
３４    記憶装置
３５    会員データベース
４０    パーソナルコンピュータ
４１    表示部
４２    入力部
４３    メールクライアント部
４５    ＩＣカード
４６    ＩＣカードリーダライタ
５０    ネットワーク
６０    ネットワーク
７０    ネットワーク
【図１】
2006195662.tif 000003
【図２】
2006195662.tif 000004
【図３】
2006195662.tif 000005
【図４】
2006195662.tif 000006
【図５】
2006195662.tif 000007